(57)【特許請求の範囲】
【請求項１】
１つ以上のプロセッサによって実施される方法であって、
１つ以上の照明器具を動作設定に従って動作させるステップであって、前記１つ以上の照明器具の所与の照明器具は、発光ダイオード（ＬＥＤ）アレイ及びパッシブ赤外線センサを含む、ステップと、
少なくとも前記所与の照明器具の前記動作設定に基づいて前記ＬＥＤアレイの少なくとも１つの動作特性を決定するステップと、
前記ＬＥＤアレイの前記少なくとも１つの動作特性から温度推定値を決定するステップであって、前記温度推定値は、前記１つ以上の照明器具の環境に関連する、ステップと、
前記温度推定値を使用して、前記所与の照明器具の前記パッシブ赤外線センサからのアナログ信号であって、前記１つ以上の照明器具の前記環境からの熱放射に対応するアナログ信号から補償された応答信号を生成するステップと、
前記補償された応答信号に基づいて前記１つ以上の照明器具を動作させるステップと、
を含む、方法。
【請求項２】
前記温度推定値は、前記環境の周囲温度に対応し、当該方法は、前記補償された応答信号から前記環境内の占有者の数の推定値を決定するステップを含む、請求項１に記載の方法。
【請求項３】
前記少なくとも１つの動作特性は、前記ＬＥＤアレイの消費電力のリアルタイム測定である、請求項１に記載の方法。
【請求項４】
前記少なくとも１つの動作特性を決定するステップは、前記ＬＥＤアレイについてのＬＥＤ接合温度を決定することを含む、請求項３に記載の方法。
【請求項５】
前記温度推定値を決定するステップは、前記所与の照明器具のヒートシンクにおける熱抵抗を使用することを伴う、請求項４に記載の方法。
【請求項６】
当該方法は、異なる照明器具の別個のパッシブ赤外線センサを前記温度推定値に基づいて較正するステップを含む、請求項１に記載の方法。
【請求項７】
１つ以上の照明器具、
１つ以上のプロセッサ、及び
前記１つ以上のプロセッサによって実行された場合、前記１つ以上のプロセッサに、
少なくとも前記１つ以上の照明器具の所与の照明器具からの動作特性データから周囲温度の推定値を生成することであって、前記動作特性データは、温度と異なる変数を含む、ことと、
前記１つ以上の照明器具に接続された１つ以上のパッシブ赤外線センサからのアナログ信号データ及び前記周囲温度の推定値から生成される補償されたアナログ信号データに基づいて前記１つ以上の照明器具を動作させることと、
を含むステップを実行させる命令を格納するように構成されるメモリ、
を含む、システム。
【請求項８】
前記ステップは、前記補償されたアナログ信号データを使用して、前記周囲温度に関連するエリアの占有の推定値を決定することを含む、請求項７に記載のシステム。
【請求項９】
前記動作特性データは、前記１つ以上の照明器具の発光ダイオード（ＬＥＤ）アレイの順方向バイアス電圧である、請求項７に記載のシステム。
【請求項１０】
前記ステップは、前記補償されたアナログ信号データに基づいて、前記１つ以上の照明器具によって照らされるエリアについての占有率、占有合計、又は占有分布の推定値を生成することを含む、請求項７に記載のシステム。
【請求項１１】
前記１つ以上の照明器具は、照明器具のネットワークを含み、前記照明器具のネットワークは、該照明器具のネットワークによって照らされるエリアの占有率、占有合計、又は占有分布に基づいて動作する、請求項１０に記載のシステム。
【請求項１２】
発光ダイオード（ＬＥＤ）アレイ、
アナログ応答信号を提供するように構成されるセンサ、
１つ以上のプロセッサ、及び
前記１つ以上のプロセッサによって実行された場合、前記１つ以上のプロセッサに、
前記ＬＥＤアレイの環境からの外部刺激に従って前記アナログ応答信号を生成することと、
前記ＬＥＤアレイの１つ以上の動作特性を決定することであって、前記１つ以上の動作特性は、前記ＬＥＤアレイの輝度に関連する、ことと、
少なくとも動作特性に基づいて環境メトリックの推定値を生成することと、
前記環境メトリックの前記推定値に基づいて補償されたアナログ応答信号を生成することと、
少なくとも前記補償されたアナログ応答信号に基づいて前記１つ以上の動作特性を修正することと、
を含むステップを実行させる命令を格納するように構成されるメモリ、
を含む、コンピューティングデバイス。
【請求項１３】
前記１つ以上の動作特性は、少なくとも前記ＬＥＤアレイの調光レベルを含む、請求項１２に記載のコンピューティングデバイス。
【請求項１４】
前記環境メトリックは、周囲温度であり、前記１つ以上の動作特性は、前記ＬＥＤアレイの順方向バイアス電圧又は順方向バイアス電流を含む、請求項１２に記載のコンピューティングデバイス。
【請求項１５】
前記外部刺激は、前記ＬＥＤアレイによって照らされる環境の１人以上の占有者からの赤外線放射を含む、請求項１２に記載のコンピューティングデバイス。
【発明の詳細な説明】
【技術分野】
【０００１】
本開示は、一般に、１つ以上の照明器具からのセンサデータを処理することに関する。とりわけ、様々な実施形態は、周囲温度の推定値(estimate)に従ってアナログ信号データを補償するためのシステム、方法、及び装置に関する。
【背景技術】
【０００２】
デジタル照明技術、すなわち、発光ダイオード（light-emitting diode；ＬＥＤ）などの半導体光源に基づく照明は、伝統的な蛍光灯、ＨＩＤ、及び白熱灯に対する実行可能な代替案を提供する。ＬＥＤの機能的利点及び利益としては、高いエネルギ変換及び光学効率、耐久性、低い動作コスト、並びに多くの他の点が挙げられる。ＬＥＤ技術の近年の進歩は、多くの用途において様々な照明効果を可能にする、効率的かつ堅牢なフルスペクトル照明源をもたらしている。一部の照明デバイスは、照明デバイスの環境に関するデータを収集するためのセンサを組み込むことができる。しかしながら、そのようなセンサを組み込むことにより、照明デバイスは誤作動しやすくなり得る。さらに、デバイスにコンポーネントを追加することは、照明デバイスの製造にかかる労力を増加し得る。
【発明の概要】
【発明が解決しようとする課題】
【０００３】
結果として、潜在的により多くの問題を引き起こし得る追加の部品を組み込むことなく、照明デバイスの機能を改善する方法は少ないかもしれない。
【課題を解決するための手段】
【０００４】
本開示は、照明器具の特定の動作特性から生成される周囲温度の推定値を使用して補償されたセンサデータ(compensated sensor data)を提供するためのシステム、方法、及び装置に関する。一部の実装形態では、１つ以上のプロセッサによって実施される方法が述べられる。方法は、照明器具のネットワークを動作設定に従って動作させる等のステップを含むことができる。照明器具のネットワーク内の照明器具は、発光ダイオード（ＬＥＤ）アレイ及びパッシブ赤外線センサを含むことができる。方法はさらに、少なくとも照明器具の動作設定に基づいてＬＥＤアレイの少なくとも１つの動作特性を決定すること、及びＬＥＤアレイの少なくとも１つの動作特性から温度推定値(temperature estimate)を決定することを含むことができる。温度推定値は、照明器具のネットワークの環境に関連することができる。方法はさらに、照明器具のパッシブ赤外線センサから、照明器具のネットワークの環境からの熱放射に対応するアナログ信号を受信すること、及び温度推定値を使用してアナログ信号から補償された応答信号(compensated response signal)を生成することを含むことができる。温度推定値は、照明器具の周囲温度に対応することができ、方法はさらに、補償された応答信号から環境内の占有者(ocupant)の数の推定値を決定することを含むことができる。少なくとも１つの動作特性は、ＬＥＤアレイの消費電力のリアルタイム測定であることができる。さらに、少なくとも１つの動作特性を決定することは、ＬＥＤアレイについてのＬＥＤ接合温度を決定することを含む。少なくとも１つの動作特性は、照明器具のヒートシンクにおける熱抵抗のリアルタイム測定であることができる。一部の実装形態では、方法は、異なる照明器具の別個のパッシブ赤外線センサを温度推定値に基づいて較正することを含むことができる。
【０００５】
さらに他の実施形態では、照明器具のネットワーク、１つ以上のプロセッサ、及び１つ以上のプロセッサによって実行された場合、１つ以上のプロセッサに、照明器具のネットワーク内の１つ以上の照明器具からの動作特性データを受信することを含むステップを実行させる命令を格納するように構成されるメモリを含む、システムが述べられる。動作特性データは、温度と異なる変数を含むことができる。ステップはさらに、照明器具のネットワークに接続された１つ以上のパッシブ赤外線センサからアナログ信号データを受信すること、及び少なくとも動作特性データから周囲温度の推定値を生成することを含むことができる。追加的に、ステップは、アナログ信号データ及び周囲温度の推定値から生成され得る補償されたアナログ信号データに基づいて照明器具のネットワークを動作させることを含むことができる。ステップはまた、補償されたアナログ信号データを使用して、周囲温度に関連するエリアの占有(occupancy)の推定値を決定することを含むことができる。動作特性データは、１つ以上の照明器具の発光ダイオード（ＬＥＤ）アレイの順方向バイアス電圧であることができる。一部の実装形態では、ステップは、補償されたアナログ信号データに基づいて、照明器具のネットワークによって照らされるエリアについての占有率(occupancy rate)、占有合計(occupancy total)、又は占有分布(occupancy distribution)の推定値を生成することを含むことができる。照明器具のネットワークはさらに、照明器具のネットワークによって照らされるエリアの占有率、占有合計、又は占有分布に基づいて動作することができる。
【０００６】
さらに他の実装形態では、発光ダイオード（ＬＥＤ）アレイ、アナログ応答信号を提供するように構成されるセンサ、１つ以上のプロセッサ、及びメモリを含む、コンピューティングデバイスが述べられる。メモリは、１つ以上のプロセッサによって実行された場合、１つ以上のプロセッサに、ＬＥＤアレイの環境からの外部刺激(external stimulus)に従ってアナログ応答信号を生成することを含むステップを実行させる命令を格納するように構成されることができる。ステップはさらに、ＬＥＤアレイの１つ以上の動作特性を決定することを含むことができる。１つ以上の動作特性は、ＬＥＤアレイの輝度(luminance)に関連することができる。ステップはまた、少なくとも動作特性に基づいて環境メトリック(environmental metric)の推定値を生成すること、環境メトリックの推定値に基づいて補償されたアナログ応答信号を生成すること、及び少なくとも補償されたアナログ応答信号に基づいて１つ以上の動作特性を修正することを含むことができる。１つ以上の動作特性は、少なくともＬＥＤアレイの調光レベルを含むことができる。環境メトリックは、周囲温度であることができ、１つ以上の動作特性は、ＬＥＤアレイの順方向バイアス電圧又は順方向バイアス電流を含むことができる。外部刺激は、ＬＥＤアレイによって照らされる環境の１人以上の占有者からの赤外線放射を含むことができる。
【０００７】
本開示の目的に関して本明細書で使用されるとき、用語「ＬＥＤ」は、任意の電界発光ダイオード、あるいは、電気信号に応答して放射線を生成することが可能な、他のタイプのキャリア注入／接合ベースのシステムを含むように理解されるべきである。それゆえ、ＬＥＤという用語は、限定するものではないが、電流に応答して光を放出する様々な半導体ベースの構造体、発光ポリマー、有機発光ダイオード（organic light emitting diode；ＯＬＥＤ）、電界発光ストリップなどを含む。特に、ＬＥＤという用語は、赤外スペクトル、紫外スペクトル、及び（一般に、約４００ナノメートル〜約７００ナノメートルの放射波長を含む）可視スペクトルの様々な部分のうちの１つ以上で放射線を生成するように構成されてもよい、（半導体ダイオード及び有機発光ダイオードを含めた）全てのタイプの発光ダイオードを指す。ＬＥＤの一部の例としては、限定するものではないが、（以下で更に論じられる）様々なタイプの赤外ＬＥＤ、紫外ＬＥＤ、赤色ＬＥＤ、青色ＬＥＤ、緑色ＬＥＤ、黄色ＬＥＤ、アンバーＬＥＤ、橙色ＬＥＤ、及び白色ＬＥＤが挙げられる。また、ＬＥＤは、所与のスペクトルに関する様々な帯域幅（例えば、半値全幅、すなわちＦＷＨＭ）（例えば、狭帯域幅、広帯域幅）と、所与の一般的色分類内の様々な主波長とを有する放射線を生成するように、構成及び／又は制御されてもよい点も理解されたい。
【０００８】
例えば、本質的に白色光を生成するように構成されているＬＥＤ（例えば、白色ＬＥＤ）の一実装形態は、それぞれが異なる電界発光スペクトルを放出する、いくつものダイを含んでもよく、それらのスペクトルは組み合わされて、実質的な白色光を形成するように混ざり合う。別の実装形態では、白色光ＬＥＤは、第１のスペクトルを有する電界発光を、異なる第２のスペクトルに変換する、蛍光体材料に関連付けられてもよい。この実装形態の一実施例では、比較的短い波長及び狭帯域スペクトルを有する電界発光が、蛍光体材料を「ポンピング」すると、その蛍光体材料が、やや広いスペクトルを有する、より長い波長の放射線を放射する。
【０００９】
また、ＬＥＤという用語は、ＬＥＤの物理的及び／又は電気的パッケージのタイプを制限しない点も理解されたい。例えば、上述のように、ＬＥＤは、それぞれが異なる放射線スペクトルを放出するように構成された（例えば、個別に制御可能であってもよく、又は制御可能でなくてもよい）複数のダイを有する、単一の発光デバイスを指してもよい。また、ＬＥＤは、そのＬＥＤ（例えば、何らかのタイプの白色ＬＥＤ）の一体部分として見なされる、蛍光体に関連付けられてもよい。一般に、ＬＥＤという用語は、パッケージ化ＬＥＤ、非パッケージ化ＬＥＤ、表面実装ＬＥＤ、チップオンボードＬＥＤ、Ｔ型パッケージ実装ＬＥＤ、放射状パッケージＬＥＤ、電力パッケージＬＥＤ、何らかのタイプの収容部及び／又は光学要素（例えば、拡散レンズ）を含むＬＥＤなどを指してもよい。一般に、ＬＥＤという用語は、パッケージ化ＬＥＤ、非パッケージ化ＬＥＤ、表面実装ＬＥＤ、チップオンボードＬＥＤ、Ｔ型パッケージ実装ＬＥＤ、放射状パッケージＬＥＤ、電力パッケージＬＥＤ、何らかのタイプの収容部及び／又は光学要素（例えば、拡散レンズ）を含むＬＥＤなどを指してもよい。
【００１０】
用語「照明器具(lighting fixture)」は、本明細書では、特定のフォームファクタ、アセンブリ、又はパッケージでの、１つ以上の照明ユニットの実装又は構成を指すために、使用される。用語「照明ユニット」は、本明細書では、同じタイプ又は異なるタイプの１つ以上の光源を含む装置を指すために使用される。所与の照明ユニットは、光源に関する様々な取り付け構成、エンクロージャ／ハウジングの様々な構成及び形状、並びに／又は電気的接続及び機械的接続の様々な構成のうちの、任意の１つを有してもよい。更には、所与の照明ユニットは、オプションとして、光源の動作に関連する様々な他の構成要素（例えば、制御回路）に関連付けられてもよい（例えば、含んでもよく、結合されてもよく、及び／又は一体にパッケージ化されてもよい）。「ＬＥＤベースの照明ユニット」とは、上述のような１つ以上のＬＥＤベースの光源を、単独で、又は他の非ＬＥＤベースの光源と組み合わせて含む、照明ユニットを指す。「マルチチャネル」照明ユニットとは、それぞれが異なる放射線スペクトルを生成するように構成された、少なくとも２つの光源を含む、ＬＥＤベース又は非ＬＥＤベースの照明ユニットを指し、異なる光源スペクトルのそれぞれが、そのマルチチャネル照明ユニットの「チャネル」と称されてもよい。
【００１１】
用語「コントローラ」は、本明細書では全般的に、１つ以上の光源の操作に関連する、様々な装置を説明するために使用される。コントローラは、本明細書で論じられる様々な機能を実行するように、数多くの方式で（例えば、専用ハードウェアなどを使用して）実装されることができる。「プロセッサ」は、本明細書で論じられる様々な機能を実行するように、ソフトウェア（例えば、マシンコード）を使用してプログラムされてもよい、１つ以上のマイクロプロセッサを採用する、コントローラの一例である。コントローラは、プロセッサを用いて、又はプロセッサを用いずに実装されてもよく、また、一部の機能を実行するための専用ハードウェアと、他の機能を実行するためのプロセッサ（例えば、１つ以上のプログラムされたマイクロプロセッサ、及び関連回路）との組み合わせとして実装されてもよい。本開示の様々な実施形態で採用されてもよいコントローラ構成要素の例としては、限定するものではないが、従来のマイクロプロセッサ、特定用途向け集積回路（application specific integrated circuit；ＡＳＩＣ）、及びフィールドプログラマブルゲートアレイ（field-programmable gate array；ＦＰＧＡ）が挙げられる。
【００１２】
様々な実装形態では、プロセッサ又はコントローラは、１つ以上の記憶媒体（本明細書では「メモリ」と総称される、例えば、ＲＡＭ、ＰＲＯＭ、ＥＰＲＯＭ、及びＥＥＰＲＯＭなどの、揮発性及び不揮発性のコンピュータメモリ、フロッピーディスク、コンパクトディスク、光ディスク、磁気テープなど）に関連付けられてもよい。一部の実装形態では、これらの記憶媒体は、１つ以上のプロセッサ及び／又はコントローラ上で実行されると、本明細書で論じられる機能の少なくとも一部を実行する、１つ以上のプログラムでエンコードされてもよい。様々な記憶媒体は、プロセッサ又はコントローラ内に固定されてもよく、あるいは、それらの記憶媒体上に記憶されている１つ以上のプログラムが、本明細書で論じられる本発明の様々な態様を実施するために、プロセッサ又はコントローラ内にロードされることができるように、可搬性であってもよい。用語「プログラム」又は用語「コンピュータプログラム」は、本明細書では、１つ以上のプロセッサ又はコントローラをプログラムするために採用されることが可能な、任意のタイプのコンピュータコード（例えば、ソフトウェア又はマシンコード）を指すように、一般的な意味で使用される。
【００１３】
用語「アドレス可能」は、デバイス（例えば、一般的な光源、照明ユニット又は照明設備、１つ以上の光源若しくは照明ユニットに関連付けられているコントローラ又はプロセッサ、他の非照明関連デバイスなど）であって、それ自体を含めた複数のデバイスを対象とする情報（例えば、データ）を受信するように、及び、そのデバイスを対象とする特定の情報に対して、選択的に応答するよう構成されるデバイスを指すために、本明細書で使用される。用語「アドレス可能」は、何らかの通信媒体を介して複数のデバイスが共に結合されている、ネットワーク化された環境（又は、以下で更に論じられる「ネットワーク」）に関連して、使用される場合が多い。
【００１４】
１つのネットワーク実装では、ネットワークに結合された１つ以上のデバイスは、そのネットワークに結合された１つ以上の他のデバイスに対するコントローラとして（例えば、マスタ／スレーブの関係で）機能してもよい。別の実装形態では、ネットワーク化された環境は、そのネットワークに結合されたデバイスのうちの１つ以上を制御するよう構成される、１つ以上の専用コントローラを含み得る。一般に、ネットワークに結合された複数のデバイスは、それぞれが、通信媒体上に存在しているデータへのアクセスを有し得るが、しかしながら、所与のデバイスは、例えば、そのデバイスに割り当てられている１つ以上の特定の識別子（例えば、「アドレス」）に基づいて、ネットワークと選択的にデータを交換する（すなわち、ネットワークからデータを受信する、及び／又はネットワークにデータを送信する）よう構成されるという点で、「アドレス可能」であってもよい。
【００１５】
用語「ネットワーク」とは、本明細書で使用されるとき、任意の２つ以上のデバイス間での、及び／又はネットワークに結合された複数のデバイスの間での、（例えば、デバイス制御、データ記憶、データ交換などに関する）情報の転送を容易にする、（コントローラ又はプロセッサを含む）２つ以上のデバイスの任意の相互接続を指す。容易に理解されるように、複数のデバイスを相互接続するために好適なネットワークの様々な実装は、様々なネットワークトポロジのうちのいずれかを含み、様々な通信プロトコルのうちのいずれかを採用してもよい。更には、本開示による様々なネットワークでは、２つのデバイス間の任意の１つの接続は、それら２つのシステム間の専用接続、又は代替的に、非専用接続を表してもよい。２つのデバイスを対象とする情報の搬送に加えて、そのような非専用接続は、それら２つのデバイスのいずれかを必ずしも対象としない情報を搬送してもよい（例えば、オープンネットワーク接続）。更には、本明細書で論じられるデバイスの様々なネットワークは、そのネットワーク全体にわたる情報転送を容易にするために、１つ以上の無線リンク、有線／ケーブルリンク、及び／又は光ファイバリンクを採用してもよい点が、容易に理解されよう。
【００１６】
上述の概念と、以下でより詳細に論じられる追加的概念との全ての組み合わせは（そのような概念が互いに矛盾しないという条件下で）、本明細書で開示される発明の主題の一部であると想到される点を理解されたい。特に、本開示の最後に記載されている特許請求される主題の全ての組み合わせは、本明細書で開示される発明の主題の一部であると想到される。また、参照により組み込まれるいずれかの開示にもまた現れ得る、本明細書で明示的に採用されている用語は、本明細書で開示される特定の概念と最も一致する意味が与えられるべきである点も理解されたい。
【図面の簡単な説明】
【００１７】
図面中、同様の参照文字は、一般に、異なる図の全体にわたって同じ部分を指す。また、これらの図面は、必ずしも正しい縮尺ではなく、その代わりに、全般的に、本発明の原理を例示することに重点が置かれている。
【図１】図１は、照明器具の環境に関連する正確なメトリックを生成するために補償されたセンサデータを提供するためのシステムを示す。
【図２】図２は、センサ信号のピークツーピーク電圧がセンサの環境の温度によってどのように影響を受け得るかを示すプロットを提供する。
【図３】図３Ａは、照明器具のパッシブ赤外線センサからの補償されていないアナログ信号に基づく第１のデータを示し、図３Ｂは、照明器具のパッシブ赤外線センサからの補償されたアナログ信号に基づく第２のデータを示す。
【図４】図４は、周囲温度の推定値を使用してセンサからの応答信号を補償するための方法を示す。
【図５】図５は、照明器具のネットワーク内の少なくとも１つの照明器具の動作特性から生成される周囲温度推定値に従って照明器具のネットワークを動作させるための方法を示す。
【発明を実施するための形態】
【００１８】
述べられる実施形態は、照明器具の動作に関連するより正確なデータを生成するために回路の動作特性を使用してアナログ信号を補償するためのシステム、方法、及び装置に関する。具体的には、本明細書で提供される実施形態は、周囲温度の推定値を使用してパッシブ赤外線センサからのアナログ信号を補償することに関する。周囲温度の推定値は、照明器具内の回路の動作特性から生成されることができる。
【００１９】
パッシブ赤外線センサは、さまざまな照明デバイス及び照明システムに組み込まれることができる。例えば、一部のパッシブ赤外線センサは、照明システムによって照らされるエリアに何人の人がいるかの推定値等の占有関連データを生成するために照明システムによって用いられることができる。さらに、人物の位置が、複数のパッシブ赤外線センサを使用して人物の位置を三角測量することで推定されることができる。典型的には、このような推定値を提供するために、パッシブ赤外線センサからのアナログ信号は、バイナリ形式に変換される。しかしながら、アナログ信号をバイナリ形式に変換することは、パッシブ赤外線センサのアナログ応答を除去し、アナログ信号のバイナリ形式は不正確になる可能性がある。
【００２０】
パッシブ赤外線センサのアナログ応答は、占有者の位置特定(occupant localization)、占有推定(occupancy estimate)及び空間最適化等の、ロケーションに関するいくつかのメトリックを生成するために使用されることができる。パッシブ赤外線センサのアナログ応答は、周囲温度等のさまざまな要因に依存し得る。例えば、アナログ応答の振幅は、オブジェクトの温度とオブジェクトの周りの周囲温度との差に比例し得る。したがって、周囲温度の推定値を使用してアナログ応答信号を補償することは、特に信号のバイナリバージョンと比較して、アナログ応答信号から生成されるデータの精度を向上させることができる。しかしながら、周囲温度を追跡する(track)ために温度センサを照明器具に組み込むことは、照明器具の動作を改善するのに効果的ではない場合がある。例えば、照明器具に別のセンサを追加することは、照明器具の製造により多くのステップを追加し、照明器具が誤動作を起こし得る他のメカニズムを生み出し得る。
【００２１】
指定された温度センサを組み込むことなく、パッシブ赤外線センサのアナログ応答を補償するために、照明器具の既存の回路が、周囲温度の推定値を生成するために使用されることができる。具体的には、回路の動作特性が、照明器具における又はその近くの周囲温度を推定するための基礎として使用されることができる。場合によっては、周囲温度測定が、動作電力及び／又は順方向バイアス電圧を周囲温度に変換する熱的逆モデル(thermal inverse model)から生成されることができる。順方向バイアス電圧は、発光ダイオード（ＬＥＤ）アレイの電力を調光レベルと公称順方向バイアス電流との積で除算することにより計算されることができる。この場合、順方向バイアス電圧は、ＬＥＤアレイの接合温度を計算するために使用されることができ、これが、周囲温度を推定するために使用されることができる。接合温度から周囲温度を推定することは、ヒートシンクの熱抵抗、ＬＥＤパッケージ抵抗、ＬＥＤの総数等の変数を使用することを伴い得る。このようにして、追加のセンサを必要とせずに周囲温度が推定されることができ、したがって、パッシブ赤外線センサのアナログ応答が、既存の照明器具に対して補償されることができる。例えば、パッシブ赤外線センサのピークツーピーク電圧及び／又はゲインが、周囲温度から生成されるメトリックがより正確になり得るように、周囲温度に基づいて較正されることができる。
【００２２】
図１は、照明器具の環境に関連する正確なメトリックを生成するために補償されたセンサデータを提供するためのシステム１００を示す。センサが、特定の環境メトリックがセンサデータから生成されることができるように照明器具に接続されることができる。しかしながら、センサデータがアナログ形式からバイナリ形式に変換される場合、典型的には、センサのアナログ応答に関連するデータが失われ、その結果、バイナリデータから生成されるその後のメトリックは不正確になる。さらに、アナログ応答は、例えば、温度等の特定の環境条件によって不正確になり得る。システム１００は、追加の環境センサを使用せずにセンサデータを補償するために特定の環境条件の推定値を使用することによりセンサデータ収集に関するこれらの課題を克服する。
【００２３】
一部の実装形態では、照明器具のネットワーク１１６は、建物１１８のローカルエリアネットワークの一部としてゲートウェイデバイス１１４に接続される。各照明器具１１６は、照明器具１１６の動作及び／又は照明器具１１６の環境に関するデータを収集するための１つ以上のセンサ（例えば、パッシブ赤外線センサ）に接続されるコントローラ（すなわち、コンピューティングデバイス）を含むことができる。例えば、照明器具１１６は、建物１１８の占有を決定するためのデータを収集することができるパッシブ赤外線センサ１２２を含むことができる。パッシブ赤外線センサ１２２は、人々が移動できる経路に対応することができる、エリア１２６を監視することができる。一部の実装形態では、パッシブ赤外線センサ１２２は、パッシブ赤外線センサ１２２の焦点距離を修正するためにレンズ１２４（例えば、フレネルレンズ）に接続されることができる。 
【００２４】
照明器具１１６において収集されたデータは、ゲートウェイデバイス１１４又はネットワーク１１２（例えば、インターネット）を介してリモートデバイス１２０に送信されることができる。リモートデバイス１２０は、建物１１８内の照明器具１１６のセンサによって収集されたセンサデータ１０６を収集、格納及び／又は処理するためのコンピューティングデバイス１０２であることができる。
【００２５】
コンピューティングデバイス１０２はまた、照明器具仕様(luminaire specification)１０４を格納することができ、これは、コンピューティングデバイス１０２によって、１つ以上の温度モデル１０８を作成するために使用されることができる。温度モデル１０８は、コンピューティングデバイス１０２によって、特定の照明器具１１６がどのように温度又はその他の環境条件によって影響を受けるかを決定するために用いられることができる。例えば、建物１１８の周囲温度は、各照明器具１１６のパッシブ赤外線センサからのセンサデータ１０６に影響を及ぼし得る。具体的には、パッシブ赤外線センサのアナログ応答の振幅は、オブジェクトの温度とオブジェクトの周りの周囲温度との差に比例し得る。したがって、周囲温度を使用してセンサデータを補償する温度モデル１０８を用いることは、パッシブ赤外線センサの精度を向上させることができる。
【００２６】
温度モデル１０８は、照明器具仕様１０４及び／又は他のセンサデータ１０６に基づく周囲温度の推定値を使用してセンサデータ１０６を補償することができる。例えば、照明器具１１６によって消費される電力量が、照明器具１１６において測定されるか、さもなければ照明器具１１６の外部にあるソース（例えば、ユーティリティデータ）から推定されることができる。電力ＰＬＥＤの値は、照明器具１１６内のＬＥＤの順方向バイアス電圧の値を推定するために使用されることができる。一部の実装形態では、順方向バイアス電圧Ｖｆｅｓｔを推定するための式は、以下の式（１）を含むことができる。ここで、ＰＬＥＤは、照明器具１１６のＬＥＤアレイの動作電力であり、ｌは、照明器具１１６の調光レベルであり、Ｉｆｎｏｍは、ＬＥＤアレイの公称順方向バイアス電流である。 
0006796742.tif 000002
【００２７】
一部の実装形態では、公称順方向バイアス電流は、測定値又は推定値であることができる。さらに、公称順方向バイアス電流は照明器具１１６の温度によって影響を受け得るため、公称順方向バイアス電流は、周囲温度についての推定値を計算するための適切な基礎を提供することができる。式（１）で推定される順方向バイアス電圧は、公称接合温度Ｔｊｎｏｍから接合温度Ｔｊｅｓｔを推定するために使用されることができる。例えば、以下の式（２）が、接合温度推定値(junction temperature estimate)Ｔｊｅｓｔを提供するために解かれることができる。
0006796742.tif 000003
【００２８】
パラメータｄＶｆ／ｄＴｊは、接合温度推定値と公称温度推定値との差を補償するために照明器具仕様１０４において提供されることができる。さらに、公称接合温度Ｔｊｎｏｍは、照明器具仕様１０４において提供されるか、さもなければ照明器具１１６における公称温度を決定することができる外部ソースから提供されることができる。温度モデル１０８は、少なくとも接合温度推定値Ｔｊｅｓｔに基づいて、周囲温度を推定するために式（３）を使用することができる。
0006796742.tif 000004
【００２９】
式（３）において、Ｒｔｈ ｂ−ａ及びＲｔｈ ｊ−ｓｐは、照明器具１１６のヒートシンクの熱抵抗及びＬＥＤパッケージの熱抵抗であることができる。例えば、Ｒｔｈ ｂ−ａは、ＬＥＤパッケージから周囲環境まで測定された熱抵抗であることができ、Ｒｔｈ ｊ−ｓｐは、はんだパッド又はサーマルパッドからＬＥＤ接合部まで測定された熱抵抗であることができる。熱抵抗値は、照明器具仕様１０４及び／又は照明器具の動作仕様の他のソースから提供されることができる。値ｍは、照明器具１１６内のＬＥＤの総数を表すことができる。変数Ｔａは、周囲温度であることができ、これが、コンピューティングデバイス１０２のメトリック生成エンジン１１０が照明器具１１６の動作に関連するメトリックを生成するためセンサデータ１０６を補償するために周囲温度を使用できるように解かれることができる。
【００３０】
式（１）〜（３）を評価するための例示的なシナリオは、直列に４８個のＬＥＤを含む（これにより、式（３）の値「ｍ」を４８に等しくする）照明器具を含み得る。式（２）のパラメータｄＶｆ／ｄＴｊは、−２．４（ＬＥＤデータシートにおいて提供され得る値）に等しくあり得る。ヒートシンクの熱抵抗値Ｒｔｈ ｂ−ａは、０．５であり得、半田パッドへの接合の熱抵抗Ｒｔｈ ｊ−ｓｐは、６に等しくあり得る。さらに、この例によれば、公称接合温度Ｔｊｎｏｍは、８５℃であり得る。Ｖｆの測定値が２．９Ｖである場合、式（２）に従って、Ｔｊｅｓｔの値は８５．１６６７℃である。さらに、少なくともこれらの値に基づいて、周囲温度Ｔａは、４２℃であり得る。照明器具が年を経るにつれ、Ｖｆの値は変化する可能性があり、したがって、経時的にＶｆを予測するモデルは、周囲温度の推定値を改善することができる。
【００３１】
一部の実装形態では、周囲温度は、例えば、メトリック生成エンジン１１０によって、照明器具１１６のパッシブ赤外線センサからのアナログ信号を補償するために使用されることができる。周囲温度は、アナログ信号のピークツーピーク電圧に影響を及ぼし得、したがって、周囲温度を補償する結果、パッシブ赤外線センサからのより正確な信号が得られる。ピークツーピーク電圧は、パッシブ赤外線センサ１２２の所与の動作ゲインに従ってエリア１２６を移動するオブジェクトの距離を特徴付けるために使用されることができる。一部の実装形態では、パッシブ赤外線センサ１２２の動作ゲインは、パッシブ赤外線センサがより正確な値を報告するように、周囲温度推定値に基づいて調整されることができる。例えば、ゲインは、照明器具１１６において実行される定期的な較正の一部としてコンピューティングデバイス１０２によって調整されることができる。一部の実装形態では、複数のセンサが、建物１１８の１人以上の占有者の正確な位置を決定するために三角測量に使用されることができる。
【００３２】
その後、補償されたアナログ信号は、メトリック生成エンジン１１０によって、部屋又は建物の総占有(total occupancy)（すなわち、総人数）、占有パターン、占有率、エネルギ移動、熱効率、及び／又はパッシブ赤外線センサデータを使用して計算され得るその他のメトリックに関連する推定値を提供するために使用されることができる。さらに、補償されたアナログ信号は、パッシブ赤外線センサ１２２を較正するために使用されることができる。例えば、補償されたアナログ信号は、パッシブ赤外線センサ１２２のピークツーピーク電圧及び／又はパッシブ赤外線センサ１２２のゲインを較正するための基礎を提供することができる。
【００３３】
一部の実装形態では、照明器具１１６は、複数の占有者（例えば、建物１１８を通過する人）を含む建物１１８に接続されることができ、照明器具１１６は、占有者からの体熱に応答するパッシブ赤外線センサを含むことができる。パッシブ赤外線センサは、照明器具１１６が信号に基づいて照明器具１１６の出力を制御するために、照明器具のコントローラ又はコンピューティングデバイスに信号を提供することができる。例えば、占有者の数が閾値に達した場合、照明器具１１６は、照明器具１１６のＬＥＤアレイのルーメン出力を増加又は減少させることができる。そのような制御された動作は、リモートデバイス１２０において実行される処理によって可能になる。例えば、照明器具１１６は、パッシブ赤外線センサからゲートウェイデバイス１１４にデータを送信することができ、ゲートウェイデバイス１１４は、ネットワーク１１２を介してリモートデバイス１２０に該データを送信することができる。メトリック生成エンジン１１０は、建物１１８内の周囲温度の推定値を使用して前記データを補償することができ、補償されたデータを照明器具１１６に送り返すか、又は補償されたデータから１つ以上のメトリックを生成することができる。一部の実装形態では、照明器具１１６のコントローラは、補償されたデータを受信し、補償されたデータに基づいてどのように建物を照明するか決定することができる。他の実装形態では、メトリック生成エンジン１１０は、総占有等のメトリックを計算し、該メトリックを照明器具１１６に送信することにより、照明器具１１６のコントローラがそのようなメトリックを計算する必要をなくし計算リソースを節約できるようにすることができる。
【００３４】
一部の実装形態では、建物１１８内の複数の照明器具１１６は、処理のために個々のセンサデータをリモートデバイス１２０に送信することができ、リモートデバイス１２０は、特定のメトリックを計算するために複数の照明器具１１６からのセンサデータ１０６を使用することができる。例えば、リモートデバイス１２０は、照明器具１１６からのセンサデータ１０６を個別に補償することができ、メトリック生成エンジン１１０は、補償されたセンサデータから占有分布を計算することができる。占有分布は、建物１１８のどこに占有者が位置するかを示すことができる。占有分布データは、各照明器具１１６が、占有者が建物のどこにいるかを知ることができるように照明器具１１６に送り返されることができる。このようにして、照明器具１１６は、占有者が照明器具１１６に近接している、又は照明器具１１６に向かっている若しくは照明器具１１６から遠ざかっているかどうかに従って、自身のルーメン出力を調整することができる。補償されたデータ及びメトリックは、照明器具が、建物１１８のエリアをどのように照らすかについてリアルタイムで判断できるようにリアルタイムで生成されることができることに留意されたい。
【００３５】
図２は、センサ信号のピークツーピーク電圧(peak-to-peak voltage)がセンサの環境における温度によってどのように影響を受け得るかを示すプロット２００を提供する。具体的には、プロット２００は、凡例２０８に示される温度「Ｔ１」（例えば、１℃）を有する環境で動作しているセンサからのセンサ信号に対応する第１のピークツーピーク電圧２０２を示す。プロット２００はさらに、凡例２０８に示される温度「Ｔ２」（例えば、２０℃）を有する環境で動作しているセンサからの異なるセンサ信号に対応する第２のピークツーピーク電圧２０４を示す。センサは、例えば、エリア内の人の存在を検出することができるパッシブ赤外線センサであることができる。第１のピークツーピーク電圧２０２及び第２のピークツーピーク電圧２０４の各々は、人の距離がパッシブ赤外線センサに対して変化するにつれてピークツーピーク電圧がどのように変化するかを示している。
【００３６】
パッシブ赤外線センサからの信号の振幅の違いは、パッシブ赤外線センサによって検出される熱の違いを示すため、ピークツーピーク電圧は、パッシブ赤外線センサに対する温度とともに変化する。言い換えれば、パッシブ赤外線センサからの信号の振幅は、オブジェクトの温度とオブジェクトの環境の周囲温度との差に比例し得る。パッシブ赤外線センサのこの温度依存性は、パッシブ赤外線センサからの信号の信頼性を妨げる場合があり得る。例えば、パッシブ赤外線センサが受ける周囲温度は、センサのピークツーピーク電圧に影響を及ぼし得、したがって、パッシブ赤外線センサによって報告されるデータの精度を抑制し得る。結果として、データから計算される占有及び位置特定等の特定のメトリックは、不正確になる可能性がある。あるパッシブ赤外線センサの不正確さを軽減又は排除するために、本願明細書で論じられるように、パッシブ赤外線センサの周囲温度が、利用可能な動作データから推定され、パッシブ赤外線センサからのデータを補償するために使用されることができる。このようにして、より正確なメトリックが、パッシブ赤外線センサに関連する照明器具又は他のデバイスの動作に関する決定を行うために使用されることができる。さらに、この方法は、周囲温度の推定値が照明器具内の既存のハードウェアから生成され得るため、周囲温度を測定するための他のハードウェアを追加する必要をなくすことができる。
【００３７】
例えば、一部の実装形態では、パッシブ赤外線センサは、建物内の照明器具のネットワークに接続されることができる。１つ以上の照明器具は各々、建物中の人々の動きを監視するためのパッシブ赤外線センサを含むことができる。照明器具内のＬＥＤの動作に関するデータは、照明器具の各々に影響を与える周囲温度を推定するために使用されることができる。照明器具のパッシブ赤外線センサはアナログ信号をリアルタイムで提供しているため、アナログ信号は、周囲温度に基づいて補償されることができる。例えば、建物の室内の照明器具からのアナログ信号は、室内の推定された周囲温度に応じて補償されることができる。アナログ信号は、照明器具、リモートデバイス、及び／又は照明器具から信号を受信することができる他の処理デバイスにおいて補償されることができる。その後、補償されたアナログ信号は、照明器具又は別個のデバイスによって、どのように実行するかに関する決定を行うために使用されることができる。例えば、照明器具の製造者とは別のパーティによって製造された空調ユニット等のサードパーティのデバイスは、空調ユニットの動作を調整するために補償されたアナログ信号を使用することができる。これにより、空調ユニットは、建物内の熱分布に影響を及ぼし得る、占有率のより正確な推定値に従って動作することができる。例えば、補償されたアナログ信号が建物の占有率の低下を示している場合、空調ユニットは、建物内の人が少ない場合に建物の冷房にエネルギが浪費されないように、動作スケジュールを修正することができる。
【００３８】
図３Ａは、照明器具のパッシブ赤外線センサからの補償されていないアナログ信号に対応する第１のデータ３００を示し、図３Ｂは、照明器具のパッシブ赤外線センサからの補償されたアナログ信号に対応する第２のデータ３０２を示す。具体的には、第１のデータ３００は、人々が集まっている建物のエリアのヒートマップに対応する。第１のデータ３００は、パッシブ赤外線センサによって収集されたピークツーピーク電圧値からコンパイルされることができる。ピークツーピーク電圧値は、室内の人々の温度と部屋の周囲温度／熱の差を表すため、第１のデータ３００は、室内の人々の数のインディケーションを提供することができる。しかしながら、第１のデータ３００は補償されていないアナログ信号に基づいているため、第１のデータ３００には曖昧性３０４が存在し得る。結果として、曖昧性３０４は、第１のデータ３００に基づくメトリックを不正確にし得る。
【００３９】
第１のデータ３００をより正確なデータに変換するために、第１のデータ３００は、第１のデータ３００を収集した（１つ以上の）照明器具の特定の動作メトリックに基づく周囲温度推定値で補償されることができる。例えば、照明器具のＬＥＤの順方向バイアス電流及び／又は順方向バイアス電圧が、周囲温度の推定値を生成するために使用されることができる。第２のデータ３０２は、周囲温度に基づいて補償された後の第１のデータ３００を表すことができる。補償の結果として、第１のデータ３００からの曖昧性３０４は、占有、占有率、占有者の位置、及び／又はパッシブ赤外線センサに関連し得るその他のメトリックを決定する目的に役立ち得るグループ３０６に変換されることができる。グループ３０６は、照明器具のパッシブ的赤外線センサによってヒートシグネチャ(heat signature)が捕捉された人々のグループに対応することができる。グループ３０６内の各人の差異は、差異が第２のデータ３０２に呈されることを可能にした補償のために、第２のデータ３０２からより容易に識別されることができる。
【００４０】
一部の実装形態では、第１のデータ３００と第２のデータ３０２との差は、異なる方向から人々のヒートシグネチャを捕捉している複数の照明器具から生成される補償されたアナログ信号に基づき得る。例えば、照明器具は建物の複数のフロアに配置され得、一部の照明器具のパッシブ赤外線センサは、同じロケーションにおけるヒートシグネチャを観察し得る。当該ロケーションに最も近い照明器具は、該ロケーションにおける周囲温度を推定するためのデータを収集するために使用されることができる。その後、当該ロケーションに最も近い照明器具が受ける周囲温度が推定され、周囲の照明器具と共有されることができる。その後、当該ロケーションを観察している他の照明器具は、自身のパッシブ赤外線センサからの信号を補償する、又はリモートデバイスに周囲温度推定値を使用してそれらのパッシブ赤外線センサからの信号を補償させることができる。その後、複数のパッシブ赤外線センサからの補償されたアナログ信号は、当該ロケーションにおける占有に関連する推定値を生成するために分析されることができる。このプロセスは、建物又は他のエリアにおいて捕捉されたヒートシグネチャがより正確になり得るように、周囲温度ヒートマップが建物又は他のエリア全体についてコンパイルされ得るように、複数の照明器具で実行されることができる。
【００４１】
図４は、周囲温度の推定値を使用してセンサからの応答信号を補償するための方法４００を示す。方法４００は、コンピューティングデバイス、コントローラ、及び／又はセンサ信号を分析することができる他の任意の装置によって実行されることができる。方法４００は、照明器具のネットワークを動作設定に従って動作させるブロック４０２を含むことができる。照明器具のネットワークは、建物、送電網、及び／又は照明器具のネットワークをサポートすることができる他の任意のロケーション等のロケーション内で接続された１つ以上の照明器具であり得る。動作設定は、例えば調光レベル等、照明器具が動作することができる任意の設定であり得る。調光レベルは、照明器具の明るさ又は輝度を制御及び／又は示すことができ、照明器具によって使用される電力量に影響を及ぼし得る。一部の実装形態では、動作設定は、照明器具のネットワークの１つ以上の照明器具についての電流、電力、及び／又は電圧設定であり得る。動作設定は、あるロケーションを移動し得る人々に対処する(accomodate)ため、さもなくば特定の目的のために光を提供するために調整されることができる。
【００４２】
方法４００は、動作設定に基づいて照明器具のネットワーク内の照明器具のＬＥＤアレイの少なくとも１つの動作特性を決定するブロック４０４を含むことができる。照明器具の動作特性には、順方向バイアス電流、順方向バイアス電圧、消費電力、公称電流、公称電圧、及び／又はデバイスに関連し得る他の任意の動作仕様が含まれ得る。動作特性及び／又は動作設定は、センサ信号が補償され得る環境メトリックを生成するために使用されることができる。例えば、動作特性及び／又は動作設定は、周囲温度推定値を生成するために使用されることができ、これは、パッシブ赤外線センサ信号等の温度関連センサ信号を補償するために使用されることができる。
【００４３】
方法４００は、照明器具のＬＥＤアレイの動作特性から周囲温度推定値を決定するブロック４０６を含むことができる。一部の実装形態では、動作特性は、ＬＥＤアレイの１つ以上のＬＥＤの順方向バイアス電流又は順方向バイアス電圧である。動作特性は、照明器具のコンポーネントによって測定される、又は照明器具内で動作する複数のコンポーネントから収集されることができる。動作特性は、信号補償もリアルタイムで、又は最小限のレイテンシで実行され得るように、リアルタイムで測定されることができる。
【００４４】
方法４００は、照明器具の赤外線センサから、照明器具のネットワークの環境からの熱放射に対応する信号（例えば、アナログ又はデジタル信号）を受信するブロック４０８を含むことができる。環境には、パッシブ赤外線センサによって捕捉され得るある量の体熱を発する１人以上の人が含まれ得る。したがって、照明器具の赤外線センサから受ける信号は、赤外線センサの近くに位置する人々によって発せられる体熱に応答することができる。一部の実装形態では、ブロック４０８は、熱放射を検出するための赤外線センサを含む照明器具のネットワーク内の照明器具から複数の異なる信号を受信することを含むことができる。
【００４５】
方法４００はさらに、周囲温度推定値を使用して受信信号から補償された応答信号を生成するブロック４１０を含むことができる。補償された応答信号は、周囲温度推定値を、電圧値、又は受信信号とバランスを取る(balance)ために推論されるか、さもなくば使用され得るその他のデータ値に変換することにより生成されることができる。一部の実装形態では、受信信号は、変換された周囲温度値に最も類似する電圧値を見つけるために分析されることができ、特定された電圧値は、周囲温度から際立つ受信信号の特徴を強調するために修正されることができる。例えば、人の体温は周囲温度と異なり得、したがって、周囲温度を特定することは、より正確な占有メトリックが生成されることを可能にする。アナログ信号データが破棄されるか、さもなくばフィルタで除去される（例えば、デジタルに変換される）場合、そのような占有メトリックは、最終的にそれほど正確ではなくなる恐れがある。したがって、方法４００は、アナログ応答データを保持すること、及び周囲温度推定に基づく補償を組み込むことにより、より正確なデータを提供することができる。
【００４６】
図５は、照明器具のネットワーク内の少なくとも１つの照明器具の動作特性から生成される周囲温度推定値に従って照明器具のネットワークを動作させるための方法５００を示す。方法５００は、コンピューティングデバイス、コントローラ、及び／又は信号を照明器具に提供することができる他の任意の装置によって実行されることができる。方法５００は、エリアを照らすように配置される照明器具のネットワークからの信号に基づくアナログ信号データを受信するブロック５０２を含むことができる。エリアは、例えば、建物内の部屋、又は占有変化を受ける他の任意のエリアであり得る。アナログ信号データは、照明器具のネットワークの照明器具に個別に接続されるセンサから生成されることができる。センサには、温度センサ、赤外線センサ、ビデオセンサ、タッチセンサ、及び／又は温度変化によって影響を受け得る他の任意のセンサが含まれ得る。アナログ信号データは、照明器具のネットワーク内の照明器具、又は照明器具からのアナログ信号データを分析することができるサーバ等のリモートデバイスによって受信されることができる。
【００４７】
方法５００は、エリア内の照明器具の少なくとも１つの動作特性を使用して周囲温度推定値を生成するブロック５０４を含むことができる。動作特性は、照明器具の動作に影響を及ぼし得る任意の変数であり得る。例えば、一部の実装形態では、動作特性は、照明器具内の１つ以上のＬＥＤの順方向バイアス電流及び／又は順方向バイアス電圧であり得る。一部の実装形態では、動作特性は、ヒートシンクコンポーネント等の照明器具のコンポーネントの推定された温度であり得る。本明細書で論じられるように、周囲温度推定値は、１つ以上の動作特性値から生成されることができる。
【００４８】
方法５００は、周囲温度推定値を使用して照明器具のネットワークからのアナログ信号データを補償するブロック５０６を含むことができる。補償されたアナログ信号データは、複数の照明器具からのアナログ信号データ、及び単一の照明器具に関連する周囲温度推定値に基づくことができる。例えば、単一の照明器具は、他の照明器具のパッシブ赤外線センサによっても観察されているロケーションにあることができる。したがって、他の照明器具のパッシブ赤外線センサからのセンサ信号は、観測されるロケーションに関連する周囲温度推定値に基づく補償から利益を受けることができる。
【００４９】
方法５００さらには、補償されたアナログ信号データを使用して、当該ロケーションに関する１つ以上の占有関連メトリック(occupancy related metrics)を生成するブロック５０８を含むことができる。占有関連メトリックには、総占有、占有率、ノイズレベル、平均占有(average occupancy)、予測される占有(predicted occupancy)、及び／又は占有に関連し得る他の任意のメトリックが含まれ得る。一部の実装形態では、占有は、エリア内の占有の推定値を生成するために、ヒートマップデータにおいて個人をセグメント化する、及びこれら個人をカウントすることができる１つ以上の画像処理アルゴリズムを通じて決定されることができる。
【００５０】
方法５００は、照明器具のネットワークの異なる照明器具を占有関連メトリックに基づいて動作設定を変更させるオプションのブロック５１０を含むことができる。例えば、エリアについての総占有が、補償されたアナログ信号データから計算されることができる。総占有は、照明器具又はリモートデバイスから、照明器具のネットワーク内の他の照明器具及び／又はエリア内の他のデバイスに送信されることができる。このようにして、照明器具及び／又は他のデバイスは、動作又は設定を調整するために総占有値(totally occupancy value)を使用することができる。例えば、照明器具によって照らされるエリアはグラフィックディスプレイを含み得、グラフィックディスプレイは、エリアに何人いるかに従って変わることができる。代替的に、照明器具は、エリアの総占有に従って自身の調光レベル設定を変えることができる。 
【００５１】
いくつかの発明実施形態が、本明細書で説明及び図示されてきたが、当業者は、本明細書で説明される機能を実行するための、並びに／あるいは、その結果及び／又は利点のうちの１つ以上を得るための、様々な他の手段及び／又は構造体を、容易に構想することとなり、そのような変形態様及び／又は修正態様は、本明細書で説明される発明実施形態の範囲内にあるものと見なされる。より一般的には、本明細書で説明される全てのパラメータ、寸法、材料、及び構成は、例示であることが意図されており、実際のパラメータ、寸法、材料、及び／又は構成は、本発明の教示が使用される特定の用途に応じて変化することを、当業者は容易に理解するであろう。当業者は、通常の実験のみを使用して、本明細書で説明される特定の発明実施形態に対する、多くの等価物を認識し、又は確認することが可能であろう。それゆえ、上述の実施形態は、例としてのみ提示されており、添付の請求項及びその等価物の範囲内で、具体的に説明及び特許請求されるもの以外の発明実施形態が実践されてもよい点を理解されたい。本開示の発明実施形態は、本明細書で説明される、それぞれの個別の特徴、システム、物品、材料、キット、及び／又は方法を対象とする。更には、２つ以上のそのような特徴、システム、物品、材料、キット、及び／又は方法の任意の組み合わせは、そのような特徴、システム、物品、材料、キット、及び／又は方法が相互に矛盾しない場合であれば、本開示の発明の範囲内に含まれる。 
【００５２】
本明細書で定義及び使用されるような、全ての定義は、辞書定義、参照により組み込まれる文書中での定義、及び／又は定義される用語の通常の意味を支配するように理解されるべきである。
【００５３】
不定冠詞「ａ」及び「ａｎ」は、本明細書及び請求項において使用されるとき、そうではないことが明確に示されない限り、「少なくとも１つ」を意味するように理解されるべきである。
【００５４】
語句「及び／又は」は、本明細書及び請求項において使用されるとき、そのように結合されている要素の「いずれか又は双方」、すなわち、一部の場合には接続的に存在し、他の場合には離接的に存在する要素を意味するように理解されるべきである。「及び／又は」で列挙されている複数の要素は、同じ方式で、すなわち、そのように結合されている要素のうちの「１つ以上」として解釈されるべきである。「及び／又は」の節によって具体的に特定されている要素以外の他の要素は、具体的に特定されているそれらの要素に関連するか又は関連しないかにかかわらず、オプションとして存在してもよい。それゆえ、非限定例として、「Ａ及び／又はＢ」への言及は、「含む（comprising）」などのオープンエンドの言語とともに使用される場合、一実施形態では、Ａのみ（オプションとして、Ｂ以外の要素を含む）、別の実施形態では、Ｂのみ（オプションとして、Ａ以外の要素を含む）、更に別の実施形態では、Ａ及びＢの双方（オプションとして、他の要素を含む）などに言及することができる。
【００５５】
本明細書及び請求項において使用されるとき、「又は」は、上記で定義されたような「及び／又は」と同じ意味を有するように理解されるべきである。例えば、リスト内の項目を分離する際、「又は」又は「及び／又は」は、包括的であるとして、すなわち、少なくとも１つを含むが、また、いくつかの要素又は要素のリストのうちの２つ以上を、オプションとして、列挙されていない追加項目も含むとして解釈されるものとする。その反対が明確に示される、「〜のうちの１つのみ」若しくは「〜のうちの厳密に１つ」、又は請求項で使用される場合の「〜から成る」などの用語のみが、いくつかの要素又は要素のリストのうちの厳密に１つを含むことに言及する。一般に、用語「又は」は、本明細書で使用されるとき、「〜のいずれか」、「〜のうちの１つ」、「〜のうちの１つのみ」、又は「〜のうちの厳密に１つ」などの、排他性の用語に先行する場合にのみ、排他的選択肢（すなわち、「一方又は他方であるが、双方ではない」）を示すとして解釈されるものとする。「〜から本質的に成る」は、請求項で使用される場合、特許法の分野で使用される際の、その通常の意味を有するものとする。 
【００５６】
本明細書及び請求項において使用されるとき、１つ以上の要素のリストを参照する語句「少なくとも１つ」は、その要素のリスト内の要素の任意の１つ以上から選択された、少なくとも１つを意味するが、必ずしも、その要素のリスト内で具体的に列挙されているそれぞれの要素のうちの、少なくとも１つを含むものではなく、その要素のリスト内の要素の、任意の組み合わせを排除するものではないことが理解されるべきである。この定義はまた、語句「少なくとも１つ」が言及する、その要素のリスト内で具体的に特定されている要素以外の要素が、具体的に特定されているそれらの要素に関連するか又は関連しないかにかかわらず、オプションとして存在してもよいことも可能にする。それゆえ、非限定例として、「Ａ及びＢのうちの少なくとも１つ」（又は、等価的に「Ａ又はＢのうちの少なくとも１つ」、又は、等価的に「Ａ及び／又はＢのうちの少なくとも１つ」）は、一実施形態では、オプションとして２つ以上を含めた、少なくとも１つのＡであり、Ｂは存在しないこと（及び、オプションとしてＢ以外の要素を含む）、別の実施形態では、オプションとして２つ以上を含めた、少なくとも１つのＢであり、Ａは存在しないこと（及び、オプションとしてＡ以外の要素を含む）、更に別の実施形態では、オプションとして２つ以上を含めた、少なくとも１つのＡ、及び、オプションとして２つ以上を含めた、少なくとも１つのＢ（及び、オプションとして他の要素も含む）などに言及することができる。
【００５７】
また、そうではないことが明確に示されない限り、２つ以上のステップ又は行為を含む、本明細書で特許請求されるいずれの方法においても、その方法のステップ又は行為の順序は、必ずしも、その方法のステップ又は行為が列挙されている順序に限定されるものではないことも理解されるべきである。
【００５８】
請求項並びに上記の明細書では、「備える（comprising）」、「含む（including）」、「運ぶ（carrying）」、「有する（having）」、「包含する（containing）」、「伴う（involving）」、「保持する（holding）」、「〜で構成される（composed of）」などの全ての移行句は、オープンエンドであり、すなわち、含むが限定されないことを意味する点を理解されたい。米国特許庁の特許審査基準のセクション２１１１．０３に記載されているように、移行句「〜から成る」及び「〜から本質的に成る」のみが、それぞれ、クローズド又は半クローズドの移行句であるものとする。特許協力条約（Patent Cooperation Treaty；「ＰＣＴ」）の規則６．２（ｂ）に準拠して請求項で使用されている特定の表現及び参照符号は、その範囲を限定するものではない点を理解されたい。
【図１】
0006796742.tif 000005
【図２】
0006796742.tif 000006
【図３Ａ】
0006796742.tif 000007
【図３Ｂ】
0006796742.tif 000008
【図４】
0006796742.tif 000009
【図５】
0006796742.tif 000010